(57)【特許請求の範囲】
【請求項１】
基礎部の上面に柵石部を設置するとともに、この柵石部の内方に位置する前記基礎部の上面に当該基礎部に設けた納骨室に連通する筒形の囲石を設置し、前記柵石部における後部の柵石の上面と前記囲石の上端を同じ高さに設定するとともに、前記柵石部における後部の柵石の上面と前記囲石の上端に大台を載置し、この大台の上に墓石部を載置してなる墓の補強構造において、Ｌ形に折曲し、かつ折線方向の一端に端面部を設けた複数の補強柱により、前記基礎部の上面における複数の部位と前記柵石部における相隣る二つの柵石の内面をそれぞれ結合するとともに、Ｌ形に折曲し、かつ折線方向の両端に端面部を設けた複数の補強柱により、前記基礎部の上面と前記大台の下面における複数の部位をそれぞれ結合し、さらに前記大台とこの大台の上に載置した墓石部間の内部に、上下に貫通して跨がる補強棒を収容してなることを特徴とする墓の補強構造。
【発明の詳細な説明】
【技術分野】
【０００１】
本発明は、墓全体の耐震性を高めた墓の補強構造に関する。
【背景技術】
【０００２】
一般に、墓は複数の墓材（石材）を積上げた構造を有するため、地震等により倒壊しやすい問題がある。
【０００３】
このため、従来より耐震構造を付加した墓も、例えば、特開平９−６０３４７号公報，特開平９−１３７６３８号公報及び特開平１１−３５０７９５号公報等で提案されている。これらの墓は、いずれも積上げた複数の石材、具体的には、下台，上台及び石碑の内部に、上下方向に沿って相互に貫通する貫通孔又は挿入孔を形成し、この貫通孔又は挿入孔に、相互の石材に跨がる棒部材を収容することにより耐震性を高めたものである。
【特許文献１】特開平９−６０３４７号公報
【特許文献２】特開平９−１３７６３８号公報
【特許文献３】特開平１１−３５０７９５号公報
【発明の開示】
【発明が解決しようとする課題】
【０００４】
しかし、墓に対する従来の耐震構造は、次のような解決すべき課題が存在した。
【０００５】
第一に、耐震構造のほとんどが、積上げられた下台，上台及び石碑を対象としていたため、地震等に対するこれらの倒壊は回避できるものの、墓全体の耐震性を確保する観点からは不十分である。
【０００６】
第二に、石材の内部に、貫通孔及び所定深さを有する挿入孔を形成する必要があるなど、石材に対する加工作業が大変となる。
【０００７】
本発明は、このような背景技術に存在する課題を解決したものであり、特に、施工の容易化を実現するとともに、十分な強度を確保することにより、墓全体の耐震性を高めることができる墓の補強構造の提供を目的とする。
【課題を解決するための手段】
【０００８】
本発明は、基礎部４の上面に柵石部５を設置するとともに、この柵石部５の内方に位置する基礎部４の上面に当該基礎部４に設けた納骨室３１に連通する筒形の囲石３８を設置し、柵石部５における後部の柵石５ａの上面と囲石３８の上端を同じ高さに設定するとともに、柵石部５における後部の柵石５ａの上面と囲石３８の上端に大台６を載置し、この大台６の上に墓石部７を載置してなる墓Ｓの補強構造１を構成するに際して、Ｌ形に折曲し、かつ折線方向の一端に端面部２ａを設けた複数の補強柱２…により、基礎部４の上面における複数の部位と柵石部５における相隣る二つの柵石５ａ，５ｂ…の内面をそれぞれ結合するとともに、Ｌ形に折曲し、かつ折線方向の両端に端面部３ａ，３ｂを設けた複数の補強柱３…により、基礎部４の上面と大台６の下面における複数の部位をそれぞれ結合し、さらに大台６とこの大台６の上に載置した墓石部７間の内部に、上下に貫通して跨がる補強棒８を収容してなることを特徴とする。
【発明の効果】
【０００９】
これにより、本発明に係る補強構造１によれば、次のような顕著な効果を奏する。
【００１０】
（１）  別途の補強柱２…，３…を用いるため、墓材（石材）４，５，６…に対する大掛かりな加工作業が不要となり、施工の容易化を実現することができる。
【００１１】
（２）  別途の補強柱２…，３…により、上下に位置する墓材４，５，６…同士における複数の部位を結合するため、十分な強度を確保できるとともに、墓全体の耐震性を高めることができる。
【００１２】
（３）  基礎部４とこの基礎部４に載置した柵石部５を、補強柱２…により結合してなるため、特に、柵石部５の位置ズレや倒壊を有効に防止することができる。
【００１３】
（４）  基礎部４とこの基礎部４の上方に配した大台６は、補強柱３…により結合してなるため、特に、大台６の位置ズレや倒壊を有効に防止することができる。
【００１４】
（５）  大台６とこの大台６の上に載置した墓石部７間の内部に、上下に貫通して跨がる補強棒８を収容してなるため、特に、大台６から上に配した墓石部７の位置ズレや倒壊を有効に防止することができる。
【実施例】
【００１５】
次に、本発明に係る好適な実施例を挙げ、図面に基づき詳細に説明する。
【００１６】
まず、本実施例に係る補強構造１に用いる補強柱２，３について、図４を参照して説明する。
【００１７】
本実施例に係る補強構造１では、二種類の補強柱２と３を使用する。補強柱２は、スチール或いはステンレス等の金属プレートＰを、Ｌ形に折曲し、かつ折線方向の一端（下端）に下端面部２ａを設けて構成する。これにより、補強柱２は、長方形の第一鉛直面部２ｐ，長方形の第二鉛直面部２ｑ及び三角形の下端面部２ａを組合わせた一体の部材となる。なお、各面部２ｐ，２ｑ，２ａの相隣る突合わせ部分は、溶接等により接合する。そして、第一鉛直面部２ｐには二つのボルト挿通孔２１，２１を設けるとともに、第二鉛直面部２ｑには、二つのボルト挿通孔２２，２２を設け、さらに、下端面部２ａには、ボルト挿通孔２３を設ける。
【００１８】
また、補強柱３は、スチール或いはステンレス等の金属プレートＰを、Ｌ形に折曲し、かつ折線方向の両端（上下端）に端面部３ａ，３ｂを設けて構成する。これにより、補強柱３は、長方形の第一鉛直面部３ｐ，長方形の第二鉛直面部３ｑ，三角形の下端面部３ａ及び三角形の上端面部３ｂを組合わせた一体の部材となる。なお、各面部３ｐ，３ｑ，３ａ，３ｂの相隣る突合わせ部分は、溶接等により接合する。そして、下端面部３ａには、ボルト挿通孔２４を設けるとともに、上端面部３ｂには、ボルト挿通孔２５を設ける。
【００１９】
次に、本実施例に係る補強構造１を含む墓Ｓの建墓方法について、図１〜図４を参照して説明する。
【００２０】
まず、地面Ｅに、基礎部４を施行する。基礎部４は、型枠を使用し、鉄筋とモルタルにより造型する。この際、基礎部４のほぼ中央には、納骨室３１を設ける。
【００２１】
そして、基礎部（墓材）４の上面に、柵石部（墓材）５を設置するとともに、基礎部４の上方に、大台（墓材）６を配するため、柵石部５と大台６をそれぞれ基礎部４に対して固定する補強構造１を付加する。
【００２２】
この場合、前述した補強柱２と３を、それぞれ四つずつ使用し、図１及び図２に示すように、各補強柱２…は、平面視が矩形となる柵石部５の内側面における四隅にそれぞれ重なるように基礎部４の上面に起立させるとともに、各補強柱３…は、平面視が矩形となる大台６の底面における四隅付近を支持するように基礎部４の上面に起立させるため、基礎部４における各補強柱２…に対応する位置には、基礎施行時に、それぞれアンカボルト３２…を埋設し、また、基礎部４における各補強柱３…に対応する位置には、基礎施行時に、それぞれアンカナット３３…を埋設する。なお、アンカナット３３…は、基礎部４の施行後に穴空けし、打ち込んでもよい。
【００２３】
そして、基礎部４を施行し、モルタルが固化したなら、図３に示すように、各アンカボルト３２…に各補強柱２…のボルト挿通孔２３…をセットし、上から各アンカボルト３２…にそれぞれナット３４…を螺着することにより、各補強柱２…を基礎部４の上面に固定する。また、同様に、各アンカナット３３…の位置に各補強柱３…のボルト挿通孔２４…をセットし、上から各アンカナット３３…にそれぞれボルト３５…を螺着することにより、各補強柱３…を基礎部４の上面に固定する。
【００２４】
次いで、図２に示すように、柵石部５における後部の柵石５ａを基礎部４の上面に設置する。柵石５ａには、予め、後側に配した左右一対の各補強柱２…のボルト挿通孔２２…に対応する位置に穴空けを行い、図３に示すアンカナット３６…を打ち込む。そして、ボルト３７…を、ボルト挿通孔２２…に通した後、アンカナット３６…に螺着することにより、各補強柱２…と柵石５ａを固定する。
【００２５】
この後、基礎部４の上面に、納骨室３１に連通する筒形の囲石３８を設置し、この囲石３８の上端と柵石５ａの上面に、囲石３８と柵石５ａに跨がる大台６を載置する。なお、囲石３８の上端と柵石５ａの上面は、同じ高さに設定する。図２に大台６の位置を仮想線で示す。また、大台６の底面には、予め、各補強柱３…のボルト挿通孔２５…に対応する位置に穴空けを行い、アンカナット４０…を打ち込む。これにより、図３に示すように、ボルト４１…を、ボルト挿通孔２５…に通した後、アンカナット４０…に螺着することにより、各補強柱３…と大台６を固定する。各補強柱３…は、このように基礎部４と大台６間に介在させるため、各補強柱３…の長さ（高さ）は、囲石３８（柵石５ａ）と同じ高さを選定する。
【００２６】
よって、大台６は、基礎部４の上面に起立した四本の補強柱３…により支持固定される。この場合、地震等により横揺れが発生しても、大台６は、各補強柱３…自身により位置ズレや倒壊が防止されるとともに、補強柱３…により大台６と基礎部４の間隔が規制され、かつ大台６と基礎部４間に囲石３８が存在するため、この囲石３８と各補強柱３…によっても大台６の位置ズレや倒壊が防止される。このように、大台６は、各補強柱３…及び囲石３８の双方によって横揺れに対する補強がなされる。
【００２７】
次いで、柵石部５における左側部の柵石５ｂと右側部の柵石５ｃを、上述した後部の柵石５ａと同様に、対応する各補強柱２…に固定する。この場合、各柵石５ｂと５ｃの後部は、後側に配した左右一対の各補強柱２…における他方のボルト挿通孔２１，２１…を用いて固定するとともに、各柵石５ｂと５ｃの前部は、前側に配した左右一対の各補強柱２…における一方のボルト挿通孔２１，２１…を用いて固定する。この後、柵石部５における前部の柵石５ｄを上述した後部の柵石５ａと同様に、対応する各補強柱２…、即ち、前部に配した左右一対の各補強柱２…の他方のボルト挿通孔２２，２２…を用いて固定する。なお、各柵石５ｂ，５ｃ，５ｄには、各ボルト挿通孔２１，２２…に対応する位置に穴空けを行い、アンカナット３６…を打ち込む。各補強柱２…は、このように基礎部４と柵石部５を固定するため、各補強柱２…の長さ（高さ）は、柵石部５の高さよりも短く（低く）なるように選定する。
【００２８】
よって、柵石部５は、基礎部４の上面に起立した四本の補強柱２…により固定される。この場合、柵石部５の全体が補強柱２…により基礎部４の上面に固定されるとともに、四つの各柵石５ａ〜５ｄも各補強柱２…により連結され、地震等の横揺れに対する柵石部５の位置ズレや倒壊が防止される。このように、各補強柱２…は、基礎部４に対する柵石部５の固定（補強）と各柵石５ａ〜５ｄ同士の連結（補強）の双方の機能を兼ねることになる。
【００２９】
以上により、本実施例に係る補強構造１の主要部が構成される。この後、通常の建墓方法に従って施工を行う。
【００３０】
まず、柵石部５と囲石３８間の空間には、盛土を行い、この盛土の上に玉舎利を敷く。なお、玉舎利の上面は、柵石部５の上端付近に一致させる。また、囲石３８の上端前部は、上方に開放されるため、蓋石４２（図２参照）を載せて閉塞する。他方、大台６の上には墓石部７を載置する。実施例の墓石部７は、下から上に、下台４３，上台４４，石碑４５を備えている。この場合、大台６の内部から石碑４５の内部に至る貫通孔４６を形成し、この貫通孔４６に、大台６から石碑４５に跨がる補強棒８を収容することにより、大台６から墓石部７までの補強を行う。よって、大台６から上に配した墓石部７の倒壊を有効に防止することができる。なお、補強棒８による補強は、公知の従来手法を用いることができる。
【００３１】
これにより、図１に示す墓Ｓが得られる。このような本発明に係る墓Ｓの補強構造１によれば、別途用意した補強柱２…，３…を用いるため、基礎部４，柵石部５，大台６に対する大掛かりな加工作業が不要となり、施工の容易化を実現することができる。また、別途用意した補強柱２…，３…により、上下に位置する基礎部４と柵石部５同士、さらには基礎部４と大台６同士における複数の部位を結合したため、十分な強度を確保できるとともに、墓Ｓの全体の耐震性を高めることができる。
【００３２】
以上、実施例について詳細に説明したが、本発明は、このような実施例に限定されるものではなく、細部の構成，形状，素材，数量，数値等において、本発明の要旨を逸脱しない範囲で、任意に変更，追加，削除することができる。
【００３３】
例えば、基礎部４とこの基礎部４に載置した柵石部５を補強柱２…により結合し、また、基礎部４とこの基礎部４の上方に配した大台６を補強柱３…により結合することにより、柵石部５と大台６の倒壊を有効に防止できるようにしたが、他の任意の墓材同士を同様に結合する場合を排除するものではない。
【図面の簡単な説明】
【００３４】
【図１】本発明の好適な実施例に係る補強構造を付加した墓の断面正面図、
【図２】同補強構造を付加した墓の断面平面図、
【図３】同補強構造の一部を拡大して示す断面図、
【図４】同補強構造に用いる補強柱の斜視図、
【符号の説明】
【００３５】
１    補強構造
２…  補強柱
２ａ  端面部
３…  補強柱
３ａ  端面部
３ｂ  端面部
４    基礎部（墓材）
５    柵石部（墓材）
５ａ  後部の柵石
６    大台（墓材）
７    墓石部
８    補強棒
３１  納骨室
３８  囲石
Ｓ    墓
【図１】
0003886477.tif 000002
【図２】
0003886477.tif 000003
【図３】
0003886477.tif 000004
【図４】
0003886477.tif 000005